(57)【要約】  本発明は、エアレスコンパクト容器に関するものであり、液状の内容物が収容され、その上部にポンピング部材が付いたリフィル容器を中ケースの一側に挿入させた後、ユーザがリフィル容器の下段部を加圧する際、ポンピング部材のポンピング作動が行われ、内容物排出部の上面に内容物が排出するように構成されることによって、ポンピング部材を通じてリフィル容器の内部に空気が流入するのを遮断することが可能であり、これによって、内容物が変質するのを防止できることが特徴である。
2016528991.tif 000002
【特許請求の範囲】
【請求項１】
上ケース５００の開閉のためのボタン部１２０が結合される下ケース１００と、
前記下ケース１００に結合されるものの、内容物排出ホール２１１が形成された内容物排出部２１０が形成され、一側にリフィル容器３００の挿入、引出しが可能なように容器収容部２３０が備えられる中ケース２００と、
内容物が貯蔵され、前記容器収容部２３０に挿入、引出されるものの、その上部にポンピング作動により貯蔵された内容物を排出させるためのポンピング部材３１０が一体に形成されるリフィル容器３００と、
前記ポンピング部材３１０を通じて排出する内容物を前記内容物排出ホール２１１に移動させるノズル部４００と、
前記中ケース２００にヒンジ結合され、前記ボタン部１２０の操作によって開放される上ケース５００と、
を備え、
前記リフィル容器３００の下段部を加圧する際に、前記リフィル容器３００が前記容器収容部２３０の内部で前進移動することによって、前記ポンピング部材３１０のポンピング作動が行われ、前記内容物が排出部２１０に排出するように構成される
ことを特徴とするエアレスコンパクト容器。
【請求項２】
前記上ケース５００の内側には、閉鎖時に前記リフィル容器３００の上部を支持して前記リフィル容器３００の移動を防止することによって、前記ポンピング部材３１０のポンピング作動を制限する制限突起５２０が備えられる
ことを特徴とする請求項１に記載のエアレスコンパクト容器。
【請求項３】
前記容器収容部２３０には、前記上ケース５００の回動による閉鎖時に前記制限突起５２０が挿入されるように突起挿入溝２３１が形成される
ことを特徴とする請求項２に記載のエアレスコンパクト容器。
【請求項４】
前記中ケース２００の下段中央部には、前記ノズル部４００を固定させるように下方向に延びるノズル固定突起２１２が備えられる
ことを特徴とする請求項１に記載のエアレスコンパクト容器。
【請求項５】
前記ノズル部４００は、
前記ポンピング部材３１０を通じて排出する内容物が移動する通路を形成する管形状のノズル４１０と、
前記ノズル４１０の終端において前記ノズル固定突起２１２にはめ込み結合されるものの、前記ノズル４１０を通じて移動する内容物が前記内容物排出ホール２１１が位置する上方向へ移動することが可能なように下段部が閉鎖される結合突起４２０と
から構成される
ことを特徴とする請求項４に記載のエアレスコンパクト容器。
【請求項６】
前記容器収容部２３０の内側には、前記ポンピング部材３１０の上部と結合されて前記ポンピング部材３１０を固定させるものの、前記ポンピング部材３１０を通じて排出する内容物が前記ノズル部４００に移動するように前記ノズル部４００と連通するポンプ固定突起２３２が備えられる
ことを特徴とする請求項１に記載のエアレスコンパクト容器。
【請求項７】
前記下ケース１００及び前記中ケース２００には、前記ノズル部４００を下部と上部でそれぞれ支持するように下部支持溝１３０及び上部支持溝２５０が形成される
ことを特徴とする請求項１に記載のエアレスコンパクト容器。
【発明の詳細な説明】
【技術分野】
【０００１】
本発明は、エアレスコンパクト容器に関するものであり、さらに詳細には、液状の内容物が収容され、その上部にポンピング部材が付いたリフィル容器を中ケースの一側に挿入させた後、ユーザがリフィル容器の下段部を加圧する際、ポンピング部材のポンピング作動が行われ、内容物排出部の上面に内容物が排出するように構成されることによって、ポンピング部材を通じてリフィル容器の内部に空気が流入するのを遮断することが可能であり、これによって、内容物が変質するのを防止できるエアレスコンパクト容器に関する。
【背景技術】
【０００２】
一般に、コンパクト容器は、女性が携帯しながら顔メイクに使用される色調化粧品または白粉を収納して簡便に携帯できることを意味する。
【０００３】
このようなコンパクト容器は、多様な形状で提供されるが、如何なる形状とも関係なく色調化粧品または白粉の内容物を収納保管しており、使用時には、容器本体の前面部に付いたボタンを加圧して、外部ふたを容器本体からヒンジ回動により開き、内部に収容されたパフまたは刷毛などの化粧用具を利用して化粧品をつけて顔メイクに使用することは共通点である。
【０００４】
前記のような従来のコンパクト容器は、内キャップを通じて内容物貯蔵部の上端部を覆って内部の気密性を維持するように構成されるが、空気が流入するのをある程度遮断することは可能であるが、構造的な限界によって完壁に内部の気密性を維持できないという問題点があった。
【０００５】
一方、最近では、空気の流入を遮断すると同時に、コンパクト容器内部に液状の内容物を収容して吐出させるための多様な試みがなされるが、このような液状内容物を収容して吐出させるための「コンパクト型エアタイト化粧品容器」が特許文献１に開示されている。
【０００６】
前記特許文献１は、下体１０と、前記下体の上部に結合されて一側のヒンジ２１により上下開閉及び他側ロッカー２２によりロックまたはロック解除作動する上体２０と、前記下体の内部に乾式、湿式粉末または液状のパウダー化粧品を入れる中体３０と、前記中体の上部に内挿入されるように固着結合され、内部中央の貫通孔４１の下部に伸縮性を有するメッシュ網４５が固定リング４６により固定結合されたショルダーキャップ４０と、前記ショルダーキャップの上部に内挿入されるように固着結合され、上部中央の空間部５５にパフ５６が収納されるパフ収納ギャップ５０から構成されるコンパクト型エアタイト化粧品容器である。そして、前記パフ収納ギャップ５０の下部にショルダーギャップ４０の貫通孔４１を気密遮断する部材５１を結合設置し、前記中体３０の上端外周縁に挿入固着するショルダーキャップ４０の固着溝４２に気密リング４３を結合設置するものの、前記パフ収納ギャップ５０を加圧手段６０により中体３０の上部から加圧作動することにより、前記気密部材５１と気密リング４３とを加圧させて気密力を増大させるように構成されたことが特徴である。
【先行技術文献】
【特許文献】
【０００７】
【特許文献１】韓国登録特許第１０−１２３６０５０号
【発明の概要】
【発明が解決しようとする課題】
【０００８】
しかしながら、前記登録特許は、気密力を増大させるための構成があまりにも複雑な為、生産費用の増加を引き起こすだけでなく、リフィルのための構造も複雑な為、ユーザの不便さを引き起こすようになるという問題点があった。
【０００９】
本発明は、上述した問題点を解決するために案出されたものであって、本発明の目的は、液状の内容物が収容され、その上部にポンピング部材が付いたリフィル容器を中ケースの一側に挿入させた後、ユーザがリフィル容器の下段部を加圧する際、ポンピング部材のポンピング作動が行われ、内容物排出部の上面に内容物が排出するように構成されることによって、ポンピング部材を通じてリフィル容器の内部に空気が流入するのを遮断することが可能であり、これによって、内容物が変質するのを防止できるエアレスコンパクト容器を提供することである。
【００１０】
また、液状の内容物が収容され、その上部にポンピング部材が付いたリフィル容器を中ケースの一側に挿入、引き出すことが可能なように構成することによって、簡単にリフィルが可能（即ち、リフィルのリフィル容器への装着が可能）になるので、ユーザ便宜を提供できるエアレスコンパクト容器を提供することである。
【課題を解決するための手段】
【００１１】
前記の問題を解決すべく、本発明に係るエアレスコンパクト容器は、上ケース５００の開閉のためのボタン部１２０が結合される下ケース１００と、前記下ケース１００に結合されるものの、内容物排出ホール２１１が形成された内容物排出部２１０が形成され、一側にリフィル容器３００の挿入、引出しが可能なように容器収容部２３０が備えられる中ケース２００と、内容物が貯蔵され、前記容器収容部２３０に挿入、引出されるものの、その上部にポンピング作動により貯蔵された内容物を排出させるためのポンピング部材３１０が一体に形成されるリフィル容器３００と、前記ポンピング部材３１０を通じて排出する内容物を前記内容物排出ホール２１１に移動させるノズル部４００と、前記中ケース２００にヒンジ結合され、前記ボタン部１２０の操作によって開放される上ケース５００とを備え、前記リフィル容器３００の下段部を加圧する際に、前記リフィル容器３００が前記容器収容部２３０の内部で前進移動することによって、前記ポンピング部材３１０のポンピング作動が行われ、前記内容物が排出部２１０に排出するように構成されることを特徴とする。
【００１２】
また、前記上ケース５００の内側には、閉鎖時に前記リフィル容器３００の上部を支持して前記リフィル容器３００の移動を防止することによって、前記ポンピング部材３１０のポンピング作動を制限する制限突起５２０が備えられることを特徴とする。
【００１３】
また、前記容器収容部２３０には、前記上ケース５００の回動による閉鎖時に前記制限突起５２０が挿入されるように突起挿入溝２３１が形成されることを特徴とする。
【００１４】
また、前記中ケース２００の下段中央部には、前記ノズル部４００を固定させるように下方向に延びるノズル固定突起２１２が備えられることを特徴とする。
【００１５】
また、前記ノズル部４００は、前記ポンピング部材３１０を通じて排出する内容物が移動する通路を形成する管形状のノズル４１０と、前記ノズル４１０の終端において前記ノズル固定突起２１２にはめ込み結合されるものの、前記ノズル４１０を通じて移動する内容物が前記内容物排出ホール２１１が位置する上方向へ移動することが可能なように下段部が閉鎖される結合突起４２０とからなることを特徴とする。
【００１６】
また、前記容器収容部２３０の内側には、前記ポンピング部材３１０の上部と結合されて前記ポンピング部材３１０を固定させるものの、前記ポンピング部材３１０を通じて排出する内容物が前記ノズル部４００に移動するように前記ノズル部４００と連通するポンプ固定突起２３２が備えられることを特徴とする。
【００１７】
また、前記下ケース１００及び前記中ケース２００には、前記ノズル部４００を下部と上部でそれぞれ支持するように下部支持溝１３０及び上部支持溝２５０が形成されることを特徴とする。
【発明の効果】
【００１８】
以上、上述のように、本発明によれば、液状の内容物が収容され、その上部にポンピング部材が付いたリフィル容器を中ケースの一側に挿入させた後、ユーザがリフィル容器の下段部を加圧する際、ポンピング部材のポンピング作動が行われ、内容物排出部の上面に内容物が排出するように構成されることによって、ポンピング部材を通じてリフィル容器の内部に空気が流入するのを遮断することが可能で、これによって、内容物が変質するのを防止できるという長所がある。
【００１９】
また、液状の内容物が収容され、その上部にポンピング部材が付いたリフィル容器を中ケースの一側に挿入、引き出すことが可能なように構成することによって、簡単にリフィルが可能（即ち、リフィルのリフィル容器への装着が可能）になるので、ユーザ便宜を提供できるという長所がある。
【図面の簡単な説明】
【００２０】
【図１】図１は、本発明の好ましい実施の形態に係るエアレスコンパクト容器の構成を示した分解斜視図である。
【図２】図２は、本発明の好ましい実施の形態に係るエアレスコンパクト容器の構成を示した斜視図である。
【図３】図３は、本発明の好ましい実施の形態に係るエアレスコンパクト容器の構成を示した断面図である。
【図４】図４は、本発明の好ましい実施の形態に係るエアレスコンパクト容器の上ケースの開閉による突起挿入溝と制限突起の結合状態を示した説明図である。
【図５】図５は、本発明の好ましい実施の形態に係るエアレスコンパクト容器のリフィル容器のリフィル過程（即ち、リフィルをリフィル容器に装着する過程）を示した説明図である。
【図６】図６は、本発明の好ましい実施の形態に係るエアレスコンパクト容器の作動状態を示した状態図である。
【発明を実施するための形態】
【００２１】
以下、図面を参照して、本発明を詳細に説明する。各図面に提示された同じ参照符号は、同じ部材を示す。
【００２２】
図１は、本発明の好ましい実施の形態に係るエアレスコンパクト容器の構成を示した分解斜視図で、図２は、本発明の好ましい実施の形態に係るエアレスコンパクト容器の構成を示した斜視図であり、図３は、本発明の好ましい実施の形態に係るエアレスコンパクト容器の構成を示した断面図である。
【００２３】
図４は、本発明の好ましい実施の形態に係るエアレスコンパクト容器の上ケースの開閉による突起挿入溝と制限突起との結合状態を示した説明図であり、図５は、本発明の好ましい実施の形態に係るエアレスコンパクト容器のリフィル容器のリフィル過程（即ち、リフィルをリフィル容器に装着する過程）を示した説明図である。
【００２４】
図１ないし図５に示すように、本発明の好ましい実施の形態に係るエアレスコンパクト容器は、下ケース１００、中ケース２００、リフィル容器３００、ノズル部４００、上ケース５００を含む。
【００２５】
前記下ケース１００は、上ケース５００の開閉のためのボタン部１２０が結合されるものであって、ボタン部１２０を支持することが可能なようにボタン支持部１１０が備えられる。
【００２６】
前記ボタン部１２０は、下ケース１００の前面部に結合されて、普段には、上ケース５００が開放されるのを防止している途中で、ユーザがボタン部１２０を加圧する際に内側方向へ移動し、上ケース５００の開放を可能なようにするが、ボタン部１２０の上部には、上ケース５００の閉鎖時に上ケース５００の内側を支持して、上ケース５００が開放されるのを防止するための係止突起１２１が備えられる。
【００２７】
一方、前記下ケース１００の後面部の上端には、ノズル部４００が貫通設置されることが可能なようにノズル部４００の下部を支持する下部支持溝１３０が形成される。
【００２８】
前記中ケース２００は、前記下ケース１００の上部に結合されるものであり、内容物が排出することが可能なようにその中央部に内容物排出ホール２１１が形成された内容物排出部２１０が形成されるが、前記内容物排出部２１０は、パフＰのような内容物塗布手段が固着されることが可能なように下方向に陥没形成されることが好ましい。
【００２９】
前記内容物排出ホール２１１には、内容物が急に排出するのを防止するために、ラバーチップ２４０が設置されることが良い。
【００３０】
本発明において、前記中ケース２００の一側には、リフィル容器３００の挿入、引出しが可能なように空間を形成する容器収容部２３０が備えられることが特徴であり、前記容器収容部２３０は、リフィル容器３００が収容されることが可能なようにリフィル容器３００と対応する多様な形状を有するようになされることが可能である。
【００３１】
前記容器収容部２３０には、上ケース５００の回動による閉鎖時に上ケース５００の制限突起５２０が挿入されるように突起挿入溝２３１が形成される。
【００３２】
また、前記容器収容部２３０の内側には、ポンピング部材３１０の上部がはめ込み結合されるポンプ固定突起２３２が備えられるが、前記ポンプ固定突起２３２は、ノズル部４００の一側が結合されて相互連通するように構成されることによって、ポンピング部材３１０を通じて排出する内容物がノズル部４００に移動するのを可能にする。
【００３３】
一方、前記中ケース２００の前面部には、前記ボタン部１２０の係止突起１２１が貫通されることが可能なように貫通ホール２２０が形成される。
【００３４】
また、前記中ケース２００の下段中央部には、ノズル部４００を固定させるように下方向に延びるノズル固定突起２１２が備えられるが、前記ノズル固定突起２１２は、ノズル部４００のノズル４１０が貫通されるように一側が切開形成され、ノズル部４００の結合突起４２０が下部に結合されることが可能なように下段部が開放形成される。
【００３５】
また、前記中ケース２００の後面部の下段には、前記下部支持溝１３０の直上方に位置してノズル部４００の上部を支持する上部支持溝２５０が形成される。
【００３６】
前記リフィル容器３００は、液状の内容物が貯蔵されるもので、その上部には、ポンピング作動によりリフィル容器３００の内部に貯蔵された内容物を排出させるためのポンピング部材３１０が一体に形成される。
【００３７】
本発明において、前記リフィル容器３００は、前記容器収容部２３０に挿入、引出されるように構成されることが特徴であり、これによって、リフィル容器３００に貯蔵された内容物を全部消尽する際にユーザが簡単にリフィル容器３００を交替することが可能である。
【００３８】
前記リフィル容器３００の交替は、図５に示すように、上ケース５００を一側に回動して開放させた後、内容物が全部消尽されたリフィル容器３００を把持して容器収容部２３０から引出させた後、内容物が充填された新しいリフィル容器３００を容器収容部２３０に挿入することによって、簡単に交替が可能である。
【００３９】
一方、前記リフィル容器３００は、ポンピング部材３１０の上部を構成するステム３１１が前記ポンプ固定突起２３２にはめ込み結合されて、前記容器収容部２３０の内側に固定されるように構成される。
【００４０】
また、前記リフィル容器３００の内部には、ポンピング部材３１０のポンピング作動による内容物の使用により上昇するピストン３２０が備えられる。
【００４１】
前記ノズル部４００は、前記ポンピング部材３１０を通じて排出する内容物を内容物排出ホール２１１に移動させるもので、ノズル４１０、結合突起４２０を含む。
【００４２】
前記ノズル４１０は、前記ポンピング部材３１０を通じて排出する内容物が移動する通路を形成する管形状からなり、前記下部支持溝１３０及び上部支持溝２５０が形成する空間を貫通して、一側は、ポンプ固定突起２３２に結合され、他側は、ノズル固定突起２１２に結合されるように構成される。
【００４３】
前記結合突起４２０は、前記ノズル４１０の終端に位置して前記ノズル固定突起２１２にはめ込み結合されるものであり、ノズル４１０を通じて移動する内容物が前記内容物排出ホール２１１が位置する上方向へ移動することが可能なように下段部が閉鎖されるように構成される。
【００４４】
前記上ケース５００は、前記中ケース２００にヒンジ結合されるものであり、前記ボタン部１２０の操作によって上方向に回動して開放されるように構成される。
【００４５】
本発明において、前記上ケース５００の内側には、閉鎖時に前記リフィル容器３００の上部を支持してリフィル容器３００の移動を防止することによって、ポンピング部材３１０のポンピング作動を制限する制限突起５２０が備えられることが特徴であり、前記制限突起５２０が上ケース５００が閉鎖された状態で前記突起挿入溝２３１に挿入されてリフィル容器３００の上部を支持することによって、リフィル容器３００が加圧されてもリフィル容器３００が移動するのを遮断するようになり、これによって、ポンピング部材３１０が作動するのを防止することが可能になって、ユーザが望まない状態で外部圧力により不必要に内容物が排出するのを遮断するようになる。
【００４６】
前記上ケース５００は、閉鎖のための下方向回動時に前記容器収容部２３０の上端と干渉が発生しないように、前記容器収容部２３０の上端に対応する屈曲部５１０が形成されることが好ましい。
【００４７】
以下、図４及び図６を参照して、本発明の好ましい実施の形態に係るエアレスコンパクト容器のリフィル容器の使用方法を説明する。
【００４８】
図４及び６を参照すれば、本発明の好ましい実施の形態に係るエアレスコンパクト容器は、ボタン部１２０を加圧する際に上ケース５００が上方向に回動して開放されるようになるが、上ケース５００が開放されると、上ケース５００の制限突起５２０が突起挿入溝２３１から離脱されるようになる。
【００４９】
前記のように、制限突起５２０が突起挿入溝２３１から離脱された状態でリフィル容器３００の下段部を加圧すると、リフィル容器３００が容器収容部２３０の内部で前進移動することによって、ポンピング部材３１０のポンピング作動が行われるようになるが、これによって、ポンピング部材３１０を通じて排出する内容物がポンプ固定突起２３２の内部を経てノズル４１０に移動するようになり、ノズル４１０を通じて移動する内容物が内容物排出ホール２１１を通じて内容物排出部２１０の上面に排出するようになる。
【００５０】
前記内容物排出部２１０の上面に内容物が排出すると、ユーザは、パフＰのような内容物塗布手段を通じて内容物を使用するようになる。
【００５１】
図面と明細書において最適の実施の形態が開示された。ここで、特定用語が使用されたが、これは、但し本発明を説明するための目的として使用されたものであり、意味限定または特許請求の範囲に記載された本発明の範囲を制限するために使用されたものではない。したがって、本技術分野の通常の知識を有したものであれば、これから多様な変形及び均等な他の実施の形態が可能であるという点を理解するはずである。よって、本発明の真の技術的保護範囲は、添付された特許請求の範囲の技術的思想により定められねばならない。
【図１】
2016528991.tif 000003
【図２】
2016528991.tif 000004
【図３】
2016528991.tif 000005
【図４】
2016528991.tif 000006
【図５】
2016528991.tif 000007
【図６】
2016528991.tif 000008
【国際調査報告】
2016528991.tif 000009
2016528991.tif 000010
2016528991.tif 000011
2016528991.tif 000012